(57)【要約】      （修正有）【課題】降雨時に自動車の乗降の際に十分な幅、引き出し長さの雨よけを設置でき不使用時にはシートをケースに収納し車両に着脱自在かつしっかりと設置し得る自動車用雨よけ装置を得る。【解決手段】ベース板１１とスライダーと磁石が両側下部に設けられた収納ケース１とその収納ケース内に雨よけシート３を巻取るシート巻取手段を設ける。シート巻取手段から収納ケース１の開口を経て張り出される雨よけシート３と、その雨よけシート３を略水平に保持するアーム４１とアーム４２と平行バー４３１とから構成されたシート保持機構４と、そのシート保持機構を操作する引出バー２に取っ手７と両側に引出部磁石２１を設け、収納ケース１を取付部材により車両側窓周壁のレインモールに着脱自在に取付ける。【選択図】図１
0003172616.tif 000002
【実用新案登録請求の範囲】
【請求項１】
ベース板１１とスライダー１３と磁石１４が両側下部に設けられた収納ケース１とその収納ケース内に雨よけシート３を巻取るシート巻取手段６を設け、そのシート巻取手段６から収納ケース１の開口を経て張り出される雨よけシート３と、その雨よけシート３を略水平に保持するアーム４１とアーム４２と平行バー４３１とから構成されたシート保持機構４と、そのシート保持機構を操作する引出バー２に取っ手７と両側に引出部磁石２１を設け、前記収納ケース１を取付部材９により車両側窓周壁のレインモールａに着脱自在に取付けられる様にした事を特徴とする自動車用雨よけ装置。
【請求項２】
前記アーム４１はコの字状でと前記アーム４２は角状で前記アーム４２は前記アーム４１のコの字の内側に入り込む形状で接続軸４６で連結されており前記雨よけシート３の収納時に前記アーム４１の中に前記アーム４２が入り、前記平行バー４３１に設けた溝部４３２を介して前記アーム２をピン４５で連結し、前記溝部４３２をピン４５が移動する事で、スムーズに収納できる事を特徴とする請求項１に記載の自動車用雨よけ装置。
【請求項３】
前記雨よけシート３の収納時に前記引出バー２が収納ケース１付近に近付いた時、引出しバー２のコの字の内側が、前記収納ケース１の両側の下部に設けたスライダー１３が挿入され、傾斜に沿ってスムーズに収納ケース１内に収まる事を特徴とする請求項１〜２のいずれかに記載の自動車用雨よけ装置。
【請求項４】
前記雨よけシート３の収納する時に前記磁石１４と前記引出部磁石２１が引き合い当接する事で前記引出バー２のガタつきを防ぐ事と特徴とする請求項１〜３のいずれかに記載の自動車用雨よけ装置。
【請求項５】
前記ベース板１１にはベース板の穴１２が設けられ、そのベース板の穴１２に落下防止装置ワイヤー８１を通し、そのワイヤー８１をコの字状の上部につまみネジ８２が貫通した落下防止装置８に連結し、車両のレインモールａに取付部材９と固定して前記収納ケース１が自動車より落下する事を防ぐ事を特徴とする請求項１〜４のいずれかに記載の自動車用雨よけ装置。
【請求項６】
前記引出しバー２の前面にはソーラーパネル２２とＬＥＤランプ２３が設けられ、内側には蓄電池２４と下部にはマグネットスイッチ２５が設けられ、そのマグネットスイッチ２５が前記ベース板と当接している間はＬＥＤランプ２３は消灯し、ベース板１１より離れるとＬＥＤランプ２３が点灯する事で雨よけ装置の収納確認と注意喚起が可能な事を特徴とする、請求項１〜５のいずれかに記載の自動車用雨よけ装置。
【考案の詳細な説明】
【技術分野】
【０００１】  本考案は自動車の屋根付近に取付られる自動車用雨よけ装置に関する。
【背景技術】
【０００２】  降雨時の車の乗降において、いくら傘を使用しても傘を閉じ車に乗り込む際や、傘を開き車から降りる際どうしても雨に濡れてしまい、雨が車の中に入って座席や床まで雨に濡れ足を滑らせてしまう恐れがあり、特に老人や身障者の場合は更に危険が伴い、介助人がいたとしても傘を持ちながら片手での乗降の手助けは非常に危険であった。又、運送業等の荷物の積み下ろしの際も、大切な荷物が雨に濡れてしまっていた。このような降雨時の車の雨よけ装置の一例として、「自動車用雨よけ装置」特許文献１が公知である。この雨よけ装置は、雨よけシートを巻き取る巻取軸とこの巻取軸を巻取り方向へ付勢するバネと、巻取軸を回転自在に支持して収納するケースを着脱可能な永久磁石を利用して車体ルーフのドア付近に取付け雨よけシートがドアと連動せずに車体ルーフよりも側方へ張り出して展開するように構成されているものである。【０００３】  他の一例として、特許文献２の「自動車用雨よけ」の様に自動車室内のルーフ側部に沿ってドア上方に位置するように取り付けられ、車室内上方にルーフに沿って収納される収納位置と、ドア又はドアウィンドウから車外に横向きに張り出す雨よけ位置との間を回動可能なひさしを有することを特徴とし、複数枚のパネルを折畳みおよび展開可能に接続して構成されているものである。【０００４】  しかし特許文献１の「自動車用雨よけ装置」は車体に着脱可能な永久磁石で取り付ける為、永久磁石を完全に車体ルーフに密着させなければ走行中の車体振動、衝撃などで装置が車体ルーフから外れる危険性があり実用化の際、車両ごとに異なるルーフ形状への取付形式を再考する必要がある。【０００５】  特許文献２の「自動車用雨よけ」は折畳み形式の複数のパネルをテープヒンジで折畳み可能にし、ひさしとしているが、実際には２枚程度が限界でそれ以上の枚数のパネルをテープヒンジで連結し展開する事はパネルの自重を考慮すると困難であり、ひさしの突出長さには限界がある。
【先行技術文献】
【特許文献】
【０００６】
【特許文献１】  特開特開２００２−２９２６３号  公報
【特許文献２】  特開２０００−３１８４５３号  公報
【考案の概要】
【考案が解決しようとする課題】
【０００７】  本考案は上記の問題に留意し、専用の取付部材を用いて車体にしっかり固定し、振動や衝撃で車体から雨よけ装置が外れたり位置がずれる事を防ぎ、降雨時の乗降の際に十分な幅と引き出し長さ、必要な強度の確保、更に軽量化の雨よけを設置でき、不使用時にはシートをケースにスムーズに収納し得る自動車用雨よけ装置を提供する事を課題とする。
【課題を解決するための手段】
【０００８】  ベース板１１とスライダー１３と磁石１４が両側下部に設けられた収納ケース１とその収納ケース内に雨よけシート３を巻取るシート巻取手段６を設け、そのシート巻取手段６から収納ケース１の開口を経て張り出される雨よけシート３と、その雨よけシート３を略水平に保持するアーム４１とアーム４２と平行バー４３１とから構成されたシート保持機構４と、そのシート保持機構を操作する引出バー２に取っ手７と両側に引出部磁石２１を設け、前記収納ケース１を取付部材９により車両側窓周壁のレインモールａに着脱自在に取付けた事を特徴とする自動車用雨よけ装置。【０００９】  前記アーム４１はコの字状でと前記アーム４２は角状で前記アーム４２は前記アーム４１のコの字に入り込む形状で接続軸４６で連結されており前記雨よけシート３の収納時に前記アーム４１に前記アーム４２が重なり、前記平行バー４３１に設けた溝部４３２を介して前記アーム２をピン４５で連結し、前記溝部４３２をピン４５が移動する事で、スムーズに収納でき前記雨よけシート３の張り出し時に必要な強度を保て、材料に既製品を採用でき低コストでの製作が可能な事を特徴とする請求項１に記載の自動車用雨よけ装置。【００１０】  前記雨よけシート３の収納時に前記引出バー２のコの字の形状が、前記収納ケース１の両側の下部に設けたスライダー１３の傾斜に沿って挿入されスムーズに収納ケース１内に収まる事を特徴とする請求項１〜２のいずれかに記載の自動車用雨よけ装置。【００１１】  前記雨よけシート３の収納時に前記磁石１４と前記引出部磁石２１が引き合い当接する事で前記引出バー２のガタつきを防ぐ事と特徴とする請求項１〜３のいずれかに記載の自動車用雨よけ装置。【００１２】  前記ベース板１１にはベース板の穴１２が設けられ、そのベース板の穴１２に落下防止装置ワイヤー８１を通し、取付部材９に固定して前記収納ケース１が自動車より落下する事を防ぐ事を特徴とする請求項１〜４のいずれかに記載の自動車用雨よけ装置。【００１３】  前記引出しバー２の前面にはソーラーパネルとＬＥＤランプと蓄電池が設けられ、内側の下部にはマグネットスイッチが設けられ、そのマグネットスイッチが前記ベース板と当接している間はＬＥＤランプは消灯し、ベース板より離れるとＬＥＤランプが点灯する事で雨よけ装置の収納確認と夜間の注意喚起が可能な事を特徴とする、請求項１〜５のいずれかに記載の自動車用雨よけ装置。
【考案の効果】
【００１４】  この考案の自動車用雨よけ装置は、雨よけシートが設置されたシート保持部材に設けられた取っ手を引く事で、雨よけシートを最大幅まで簡単に引き出す事ができ、巻取り部材のロックにより、雨よけシートを任意の引き出し長さで固定でき、シート保持部材により雨よけシートがたわむことなく水平に保持でき必要な強度を保て、必要な時に誰でもすぐに使用でき、収納時は収納ケース内に設けられた巻取り部材とスライダーにより自動的にスムーズに収納する事ができ、収納後は、収納ケースと先端引出部に設けたられた磁石とその先端引出部に設けられたロック機構により、不必要な時は雨よけシートが引き出されることなく、着脱自在に設置する取付部材によりしっかり車両に設置される為、振動や衝撃で収納ケースがずれたり外れたりせず安全で、尚且つ大変軽量な構成で経済的なコストで製作でき雨よけ装置を必要とする車両に幅広く使用できるという優れた利点を有する。
【図面の簡単な説明】
【００１５】
【図１】本考案の自動車用雨よけ装置の底面図
【図２】本考案の自動車用雨よけ装置の斜視図  （ａ）全体図  （ｂ）先端バーがスライダーに入る前の図  （ｃ）先端バーがスライダーに挿入された図
【図３】本考案の自動車用雨よけ装置のシート保持機構の構成
【図４】本考案の自動車用雨よけ装置の落下防止装置の構成  （ａ）取付けた状態  （ｂ）取付け部の拡大図  （ｃ）落下防止装置の拡大図
【図５】本考案の自動車用雨よけ装置の車両への取付  （ａ）雨よけ装置の開いた状態  （ｂ）雨よけ装置の閉じた状態
【考案を実施するための形態】
【００１６】以下、本考案の雨よけ装置の構成に沿って説明する。
図１は本考案の自動車用雨よけ装置の底面図を示す。
ベース板１１とスライダー１３と磁石１４が両側下部に設けられた収納ケース１とその収納ケース内に雨よけシート３を巻取るシート巻取手段６を設け、そのシート巻取手段６から収納ケース１の開口を経て張り出される雨よけシート３と、その雨よけシート３を略水平に保持するコの字型のアーム４１と角型のアーム４２を接続軸４６で連結し、平行バー４３１をピン４５が溝部４３２を介してアーム２と連結した物からなるシート保持機構４の片側を収納ケース１に回動可能に連結し、別の片側を引出しバー２に回動可能に連結し、その引出しバー２を操作した時、ピン４５が溝部４３２を移動する事で、シート保持機構４は平行に保たれアーム４１とアーム４２により必要な強度を得られ、雨よけシート３が水平に張り出される。
【００１７】雨よけシート３を収納する際は、コの字型のアーム４１の内側に角型のアーム４２が入り込む事で伸縮がスムーズで、必要な強度が得られる。
雨よけ装置を取付ける自動車の最大幅、最大長さでの製作が可能でアーム４１とアーム４２は既製品を採用できる為、低コストで製作できる。
【００１８】図２は本考案の自動車用雨よけ装置の斜視図を示す。
収納ケース１内のシート巻取り手段６により雨よけシート３を収納ケース１内に収納する際、引出しバー２が収納ケースに付近に来た時、収納ケースの下側両サイドに設けたスライダー１３の傾斜に沿って、引出しバーのコの字状の内側が挿入され強制的に収納される為、収納の確実性が上がる。
【００１９】図１と図２で本考案の自動車用雨よけ装置のＬＥＤランプの点灯動作について説明する。
引出しバー２の前面にソーラーパネル２２とＬＥＤランプ２３を設け、内側に蓄電池２４と下部にマグネットスイッチ２５を設け、そのマグネットスイッチ２５がベース板１１と当接している間はＬＥＤランプ２３は消灯し、ベース板１１より離れると、ソーラーパネル２２により発電された電力を蓄電池２４に充電していた電力により、ＬＥＤランプ２３が点灯し雨よけ装置の収納確認と注意喚起が可能なになる。
【００２０】図３は本考案の自動車用雨よけ装置のシート保持機構の構成を示す。
角型のアーム４２とコの字型のアーム４１との複合により、保持力の増加と収納時の強制化を図る事が出来る。
【００２１】図４は本考案の自動車用雨よけ装置の落下防止装置の構成を示す。
ベース板の穴１２に落下防止装置ワイヤー８１を通し、そのワイヤー８１を、コの字型の上面に、つまみネジ８２が貫通された落下防止装置８に連結し車両のレインモールａに取付部材９と取付ける事で安全性を図れる。
【００２２】図５は本考案の自動車用雨よけ装置の車両への取付を示す。
（ａ）のように車両のレインモールａに取付部材９と落下防止装置８を用いて設置し、乗降の際（ｂ）の様に雨よけシート３を開く事で、降雨時などに人や車内が雨に濡れる事を防ぐ。
【産業上の利用可能性】
【００２３】この考案の自動車用雨よけ装置は、収納ケースを設置し得る形状の車両であって降雨時の雨よけ又、日照時の日除けを必要とする車両に広く利用される。
【符号の説明】
【００２４】１  収納ケース
１１  ベース板
１２  ケースベース板の穴
１３  スライダー
１４  磁石
２  引出しバー
２１  引出部  磁石
２２  ソーラーパネル
２３  ＬＥＤランプ
２４  蓄電池
２５  マグネットスイッチ
３  雨よけシート
４  シート保持機構
４１  アーム
４２  アーム
４３１  平行バー
４３２  溝部
４５  ピン
４６  接続軸
５  バネ
６  シート巻取り手段
７  取っ手
８  落下防止装置
８１  落下防止装置ワイヤー
８２  つまみネジ
９  取付部材
ａ  車両のレインモール
【図１】
0003172616.tif 000003
【図２】
0003172616.tif 000004
【図３】
0003172616.tif 000005
【図４】
0003172616.tif 000006
【図５】
0003172616.tif 000007